(57)【要約】【課題】非磁性の各種壁面に対して、比較的大型の写真やポスター等の掲示物を取付ける時の作業性が良く、さらに強度の弱い壁面に対しても確実に取付けることができる掲示物用マグネット器具を提供する。【解決手段】断面が略矩形で帯状に伸延させた形体で少なくとも背面５がマグネット製でなる器体２と、該器体２に対しその正面４から軸部３ｂが突出し、頭部３ａが該器体２の背面５から突出しないように隙間Ｎを有して保持される頭付きのねじ部材３とで構成される掲示物用マグネット器具１とした。従って、壁面Ｗにはねじ部材３で取付けでき、背面５には掲示物Ｐを、その裏面に取付けられた強磁性体Ｓが磁気吸着することにより取付けることができる。なお、器体２は２部材で構成しても良い。また、複数の掲示物用マグネット器具を連結して使用しても良い。【選択図】図１
2004361547.tif 000002
【特許請求の範囲】
【請求項１】
断面が略矩形で帯状に伸延させた形体で少なくとも背面がマグネット製でなる器体と、該器体に対しその正面から軸部が突出し、頭部が該器体の背面から突出しない状態に保持される頭付きのねじ部材とで構成されることを特徴とする掲示物用マグネット器具
【請求項２】
器体はマグネット製であり、その背面側にねじ部材の頭部が完全に陥没する溝部を該器体の長手方向に沿って形成すると共に、該溝部の底面には上記ねじ部材の軸部が挿入可能な軸用孔を長手方向に沿って複数配設させたことを特徴とする請求項１に記載の掲示物用マグネット器具
【請求項３】
器体はマグネット製で下面側からねじ部材の頭部が挿入可能な溝部を有する略コ字状の断面形状を有し、器体の正面を形成する保持片には、ねじ部材の軸部の上部に該保持片の厚さより若干長く、且つ、該軸部の径から１乃至２ｍｍ程度大きく形成された嵌合軸部が嵌合する取付け溝部を、上記器体の長手方向に沿って複数個形成していることを特徴とする請求項１に記載の掲示物用マグネット器具
【請求項４】
器体は、背面側を形成するマグネット部材と正面側を形成するねじ挿入部材とを接合して構成することを特徴とする請求項１に記載の掲示物用マグネット器具
【請求項５】
ねじ挿入部材は、その背面側にねじ部材の頭部が完全に陥没する溝部を該ねじ挿入部材の長手方向に沿って形成すると共に、該溝部の底面には上記ねじ部材の軸部が挿入可能な軸用孔を長手方向に沿って複数配設させたことを特徴とする請求項４に記載の掲示物用マグネット器具
【請求項６】
ねじ挿入部材は、強磁性体製であり、マグネット部材に対して磁気吸着にて取付けることを特徴とする請求項４または５に記載の掲示物用マグネット器具
【請求項７】
ねじ挿入部材は、マグネット製であることを特徴とする請求項６に記載の掲示物用マグネット器具
【請求項８】
ねじ挿入部材は非磁性体製であり、その断面が上下の面に夫々係合突起及び係合溝を有し背面側に溝部を設けた断面が略コ字状で帯状に伸延させた形体であり、該溝部の底面にはねじ部材の軸部が挿入できる軸用孔を長手方向に沿って複数個設けると共に、該軸用孔に対して上記ねじ部材の軸部が突き出るように挿入した状態で、上記ねじ部材における頭部の上面を覆うマグネット部材を、上記ねじ挿入部材の係合突起または係合溝に対して着脱自在にスライドさせて取付けることを特徴とする請求項４に記載の掲示物用マグネット器具
【請求項９】
複数の器体を所定の間隔を設けて連結して使用することを特徴とする請求項１〜８のいずれかに記載の掲示物用マグネット器具
【請求項１０】
器体におけるねじ部材の頭部の下面と接触する面は、該器体の正面側の面に対し所定角度傾いて形成されていることを特徴とする請求項１〜９のいずれかに記載の掲示物用マグネット器具
【発明の詳細な説明】
【０００１】
【発明の属する技術分野】
本発明は、非磁性の各種壁面に対して、比較的大型の写真やポスター等の掲示物を取付けるのに適した掲示物用マグネット器具に関するものである。
【０００２】
【従来の技術】
従来から、比較的大型の写真やポスター等の掲示物（以下、掲示物と表記する）を、非磁性の掲示板や室内壁面用仕上げ部材及び各種素材を用いた壁体等の壁面（以下、壁面と表記する）に取付ける手段として、掲示物と壁面間に接着剤を使用して接着したり、掲示物の表面から画鋲（押しピン）を壁面に押し込んで取付ける方法が日常的に用いられている。しかしながら、前者は壁面を汚したり、貼り替え時に手間がかかる不都合があり、後者は掲示物に画鋲痕が残る不都合を有していた。
【０００３】
これらの不都合を解消する手段としては、掲示物を、その裏面に磁石が吸いつく金属等の小片（鉄板等）を貼ったものとし、取付け部材として頭部に磁石を付けた画鋲を使用して、掲示物を画鋲の頭部に磁気吸着にて取付けた状態で、画鋲のピン部を壁面に差込んで取付ける。または、画鋲を先に壁面に取付けた状態で、画鋲上に掲示物を磁気吸着で取付ける技術が公開されている。（特許技術文献１参照）
【０００４】
しかしながら、この技術に示された頭部に磁石を付けた画鋲は、頭部が小面積であるため、大型の掲示物に用いようとした場合は複数個必要となり、その取付け作業工数が多くなって不便であるという不都合を生じていた。
【０００５】
さらに、この画鋲を複数個使用し、その頭部の上面に掲示物磁気吸着で取付けた状態で壁面に各画鋲を差込んで取付ける手順の場合は、掲示物が紙状の柔らかなものであると、しわが寄りやすいと云う不都合を生じる。また、これらの画鋲を先に壁面へ取付けた後に、画鋲上に掲示物を磁気吸着で取付ける手順の場合は、画鋲を壁面に取付ける際に基準となるものが無いので位置ずれを起こし易く、それを防ぐためには慎重な作業が必要となるので、取付け作業性が好ましくないものであった。
【０００６】
なお、近年における室内壁面用仕上げ部材は、消防上の観点から不燃部材が広範囲に用いられているが、この不燃部材は石膏ボードが主体であるため強度が弱いので、この材料を使用した壁面に対しても適用できる構造が好ましいものとなる。
【０００７】
【特許文献１】
特開平９−１１６９７号公報（第２頁、第３図）
【０００８】
【発明が解決しようとする課題】
そこで本発明は、非磁性の各種壁面に対して、比較的大型の写真やポスター等の掲示物を取付ける時の作業性が良く、さらに強度の弱い壁面に対しても確実に取付けることができる掲示物用マグネット器具を提供することを目的とする。
【０００９】
【課題を解決するための手段】
本発明は、掲示物の幅と略同一の幅を有する取付け部材を用いれば従来の不都合を解消することを究明したものであり、具体的には、断面が略矩形で帯状に伸延させた形体で少なくとも背面がマグネット製でなる器体と、該器体に対しその正面から軸部が突出し、頭部が該器体の背面から突出しない状態に保持される頭付きのねじ部材とで構成される掲示物用マグネット器具によって実現できる。この場合の器体の幅は、掲示物に合わせて設定しても良いし、予め長尺に形成しておき、掲示物の幅に合わせて裁断することにより求めても良い。
【００１０】
この構成において、器体はマグネット製であり、その背面側にねじ部材の頭部が完全に陥没する溝部を該器体の長手方向に沿って形成すると共に、該溝部の底面には上記ねじ部材の軸部が挿入可能な軸用孔を長手方向に沿って複数配設させたものとすると、掲示物用マグネット器具の構造が簡単で、しかも、ねじ部材を希望する位置に直接取付けることができるので、家庭用の等壁面に対して掲示物用マグネット器具を簡単に、且つ、強固に取付けることができる。
【００１１】
また、器体はマグネット製で下面側からねじ部材の頭部が挿入可能な溝部を有する略コ字状の断面形状を有し、器体の正面を形成する保持片には、ねじ部材の軸部の上部に該保持片の厚さより若干長く、且つ、該軸部の径から１乃至２ｍｍ程度大きく形成された嵌合軸部が嵌合する取付け溝部を、上記器体の長手方向に沿って複数個形成するようにして実施することもできる。この場合は、家庭等の壁部材に取付けられたねじ部材に対して、掲示物用マグネット器具を引っ掛けるだけで取付けることができるので、掲示物用マグネット器具の取付け作業を簡単に行うことができる。
【００１２】
本発明における器体は、背面側を形成するマグネット部材と正面側を形成するねじ挿入部材とを接合して構成しても良く、この構成によればマグネット部材の構造が単純構造で可能となるので生産性が良く、更に最小限の材料で済むのでコスト上の利点がある。
【００１３】
この構成におけるねじ挿入部材は、その背面側にねじ部材の頭部が完全に陥没する溝部を該ねじ挿入部材の長手方向に沿って形成すると共に、該溝部の底面には上記ねじ部材の軸部が挿入可能な軸用孔を長手方向に沿って複数配設させる形体で実施することができる。この場合には、ねじ部材を希望する位置に直接取付けることができるので、家庭用の等壁面に対して掲示物用マグネット器具を簡単に、且つ、強固に取付けることができる。
【００１４】
なお、ねじ挿入部材は、強磁性体製であり、マグネット部材に対して磁気吸着にて取付けるようにすると、器体の組立てが簡単となり、作業性を向上させることができる。
【００１５】
さらに、ねじ挿入部材をマグネット製にすると、マグネット部材とねじ挿入部材の磁気吸着による接合を、より強固に行うことができる。
【００１６】
また、本発明は、ねじ挿入部材は非磁性体製であり、その断面が上下の面に夫々係合突起及び係合溝を有し背面側に溝部を設けた断面が略コ字状で帯状に伸延させた形体であり、該溝部の底面にはねじ部材の軸部が挿入できる軸用孔を長手方向に沿って複数個設けると共に、該軸用孔に対して上記ねじ部材の軸部が突き出るように挿入した状態で、上記ねじ部材における頭部の上面を覆うマグネット部材を、上記ねじ挿入部材の係合突起または係合溝に対して着脱自在にスライドさせて取付ける構成とすることができる。
この場合は、ねじ挿入部材とマグネット部材との接合を、磁気吸着作用を用いることなく、マグネット部材をねじ挿入部材に差込むだけで簡単に行うことができる。
【００１７】
なお、上述した各種の構成の器体は、複数個を所定の間隔を設けて連結する構成で実施しても良い。この構成は、特に大型の掲示物や変形形状の掲示物に対して有効であり、掲示物を確実に磁気吸着で取付けできると共に、ねじ部材を適正に配置できるので、ねじ部材を最小限の数量とすることができ、壁面に対する取付け作業性が向上する。
【００１８】
また、器体におけるねじ部材の頭部の下面と接触する面は、該器体の正面側の面に対し所定角度傾いて形成するようにしてもよい。この場合は、家庭用等の壁面に対してねじ部材を傾斜させて取付けることになるので、より強固に取付けることができ、壁面の強度が弱いものに対して特に効果的である。
【００１９】
【発明の実施の形態】
本発明における掲示物用マグネット器具は、断面が略矩形で帯状に伸延させた形体で背面がマグネット製でなる器体と、該器体に対しその正面から軸部が突出し、頭部が該器体の背面から突出しない状態に保持される頭付きのねじ部材とで構成することを基本とするものであり、以下、器体自体がマグネット製で構成されるものから順に、各実施例に沿って詳細に説明する。
【００２０】
図１は、本発明の第１の実施例を表したものであり、図１（ａ）の分解斜視図及び図１（ｂ）のＡ−Ａ拡大断面図に示すように、掲示物用マグネット器具１は器体２と複数のねじ部材３によって構成される。
【００２１】
器体２は、全体がマグネット製であり側面が略矩形で幅広に形成されている。そして、器体２の背面５には、溝部５ａが設けられて断面が略コ字状をなし、該溝部５ａの底面５ｂには、正面４に向かってねじ部材３の軸部３ｂが挿入可能な複数の軸用孔５ｃ．．．が形成されている。
なお、溝部５ａの深さは、図１（ｂ）に示されるように、器体２の背面５からねじ部材３の頭部３ａの上面との隙間Ｎが１ｍｍ程度生じるように設定される。即ち、掲示物Ｐの背面に取付けられる鉄板等の強磁性体板Ｓに干渉しないように設定されている。
【００２２】
また、この実施例では器体２に対して溝部５ａが両側を残して刳り抜かれた形状となっているが、全面的に溝部が表れるように形成してもよく、器体２自体の作製は、押し出し成形やインジェクション成形等適宜の方法で実施される。
【００２３】
なお、器体２の材料は、フェライト系、マンガン・アルミニウム系、サマリウム・コバルト系、ネオジウム・鉄・ホウ素系、サマリウム・鉄・窒素系等の硬質磁性材料からなる磁石材料微粉末を有機高分子エラストマーに練り込み着磁された樹脂製マグネット等適宜のマグネットが用いられる。この内、樹脂製マグネットは柔軟性があるので後述する壁面に取付ける際に、壁面が平坦面以外の曲面にも追従させることができるので好ましく使用される。
【００２４】
ねじ部材３は、図１（ａ）に示すように、壁面Ｗに設けられたねじ用下孔Ｗｃにねじ込んで使用するものであり、器体２を壁面Ｗに対して強固に取付ける目的で使用する。
なお、頭部３ａの形状は特に限定はされないがトラス等の径の大きいものが効果的である。また、器体２が比較的柔らかい材料の場合には本実施例のようにワッシャ３ｗを使用するのが好ましい。
軸部３ｂのねじ形状は、取付ける壁部材の性質に合わせて木ねじ、タッピンねじ等適宜のものを選択する。この場合の先端部３ｃはねじ形状や同部の溝の有無と関連するので、本実施例のような鋭利なものでなくても良い。
【００２５】
図２は、第１の実施例の変形例を表わしたものであり、図２（ａ）の分解斜視図及び図２（ｂ）のＢ−Ｂ拡大断面図に示すように、基本的な構成は第１の実施例と同様であるが、ねじ部材の取付け角度が異なっている。
【００２６】
即ち、掲示物用マグネット器具１’の器体２’の背面５’に設けられる溝部５ａ’の底面５ｂ’及び軸用孔５ｃ’は図２（ｂ）に示すように傾斜角度Ｍを有しており、ねじ部材３’を器体２’に挿入した際の頭部３ａ’及び軸部３ｂ’も傾くことによって、軸部３ｂ’が器体２’の正面４’から下向きに傾斜して突出することになる。なお、傾斜角度Ｍはこの実施例では１５度に設定しているが、掲示物の大きさや重量、壁面の強度等を勘案して設定する。また、この変形例においてもワッシャ３ｗ’は、第１の実施例同様適宜に選択して使用する。
【００２７】
この変形例によれば、ねじ部材を壁部材に対して下向きに傾斜して取付けることができるので、より強固に取付けることができると云う利点がある。
【００２８】
次に、本発明による掲示用マグネット器具の使用方法について、第１の実施例を用いて図３〜図５により説明する。
【００２９】
図３の取付け説明用の斜視図に表わされるように、大型の掲示物Ｐの裏面に所定位置（この図では上下の２箇所）にマグネットに磁気吸着する薄い鉄板等で形成された強磁性体板Ｓが、接着等により取付けられている。なお、この強磁性体板Ｓは、下方の取付け状態に表わされるように小片Ｓａを複数配置して実施しても良い。勿論、この強磁性体板Ｓは掲示物全面に取付けられたり、さらに、強磁性体板Ｓ自体が掲示物の場合や、絵画等の額縁等の枠体として使用されていても応用可能である。
【００３０】
そして、掲示物用マグネット器具１を、掲示物Ｐの大きさや重量に適合するように、掲示物の幅に合わせたものを複数（この図では上下の２ヶ所）準備し、また、掲示物用マグネット器具１を壁面Ｗに取付けるためのねじ部材３も複数個準備する。なお、ねじ部材３のねじ部の長さを決めるための軸部３ｂの突出代は、掲示物の重量及び下述する取付け用の壁面Ｗの強度を勘案し設定される。
【００３１】
この状態から、掲示物Ｐを壁面Ｗ上に取付けるには、図３に表わすように、先ず、壁面Ｗへ複数のねじ部材３．．．の取付位置に対応するようにねじ用下孔Ｗｃ．．．を開けておく。なお、この孔開け作業は、器体２を壁面Ｗに当てた状態で、その軸用孔５ｃをガイドに行うのが効率的である。
【００３２】
次に、器体２の一つ軸用孔５ｃにねじ部材３の軸部３ｂを挿入した状態で、ねじ部材３を壁面Ｗに設けられたねじ用下孔Ｗｃにねじ込んで取付ける。同様に他の壁面Ｗに設けられたねじ用下孔Ｗｃ．．．対しても、ねじ部材３．．．をねじ込んで取付けることにより、器体２が壁面Ｗに取付けられる。
器体２を複数使用する場合（この図では上下の２ヶ所）も同様な手順で、壁面Ｗに取付けて、全ての器体２の取付けを完了する。
【００３３】
この状態で、各器体２，２の背面５，５に対して掲示物Ｐの裏面に取付けられた強磁性体板Ｓ，Ｓａ，Ｓａ，Ｓａを近付けると、磁気吸着作用により、掲示物Ｐは壁面Ｗに取付けられる。
【００３４】
なお、本実施例における器体２の材料を前述した樹脂製マグネットとした場合は、柔軟性があるため、図５に示す平坦面以外の曲面を有する壁面Ｗａに対しても追従できるので、掲示物Ｐａを上述した内容と同様に取付けることができる。
【００３５】
以上のように、本発明の第１の実施例においては、掲示用マグネット器具を壁面へ簡単に、且つ、強固に取付けるができる。
また、掲示物の掲示用マグネット器具への取付けも、単に近接するだけで掲示物の裏面の略全面が磁気吸着される。
従って、総じて、掲示物の壁面への取付け作業が簡単でしかも確実に行うことができる。
【００３６】
図６及び図７は、本発明の第２の実施例を表わしたものであり、前述の第１の実施例とは、ねじ部材を先に壁面に取付けると云う構成上の違いがある
【００３７】
この実施例による掲示物用マグネット器具２１は、図６の分解斜視図に表わされるように、器体２２と複数のねじ部材２３で構成されている。
【００３８】
そして、ねじ部材２３は、軸部２３ｂの上部に、その径より１乃至２ｍｍ程度大きい嵌合軸部２３ｄが形成されている。また、頭部２３ａは大き目の径のものが好ましく、図に示す平形状や座付き形状等が用いられる。なお、本実施例においては後述するように頭部を狭い空間に差込むことになることと、上記嵌合軸部２３ｄ上に部材が嵌合することになるため、寸法精度を確保する必要があり、ワッシャは使用しない方が好ましい。
【００３９】
器体２２は、全体がマグネット製で、下面２６側から上記のねじ部材２３における頭部２３ａが最小隙間で挿入可能な溝部２６ａが設けられた断面が略コ字状で、幅広に形成されている。そして、その正面２４を形成する保持片２４ａには、器体２の長手方向に沿って複数の取付け用溝部２４ｂが形成されている。
【００４０】
器体２２と、ねじ部材２３の上述した以外の嵌合部分については、図７（ａ）の壁面への取付け状態を表わす拡大断面図、図７（ｂ）器体にねじ部材を挿入した正面図、図７（ｃ）器体にねじ部材を挿入した底面図に示すように、ねじ部材２３の嵌合軸部２３ｄの長さＹ１を器体２２の保持片２４ａの厚さＶ１より若干大き目とし、ねじ部材２３の嵌合軸部２３ｄの軸径Ｙ２が嵌合する器体２２に設けられる取付け用溝部２４ｂの幅Ｖ２は、ねじ部材を壁面に取付ける時のピッチ間の精度を配慮して大きめに形成される。
【００４１】
なお、器体２２は下面２６が開放されているため、背面２５の位置精度や強度を補強する必要がある場合は、図７（ｂ）及び図７（ｃ）に表わすように、溝部２６ａにおけるねじ部材２３の頭部２３ａが干渉しない位置にリブ２４ｃを配置してもよい。
【００４２】
以上の構成でなる第２の実施例による掲示用マグネット器具２１を壁面に取付けるには、図６に表わされるように、最初に壁面Ｗにねじ部材２３．．．を取付けるためのねじ用下孔Ｗｃ．．．を開けておき、次に、ねじ部材２３の軸部２３ｂ．．．を壁面Ｗにねじ込んで取付ける。すると、図７（ａ）に表わされるように、ねじ部材２３の頭部２３ａの下面と壁面Ｗの表面間に、ねじ部材２３の嵌合軸部２３ｄが露出し嵌合隙間が形成されるので、そこに器体２２の保持片２４ａに設けた取付け用溝部２４ｂ差込むと、器体２２は壁面Ｗに対して僅かな嵌合隙間しか無い状態で取付けられる。
【００４３】
従って、本実施例においては、最初に壁面にねじ用部材を取付けた後に、器体を差込むだけで壁面に取付けることができるので、取付け作業性を向上させることができる。
【００４４】
本発明における器体は、背面側を形成するマグネット部材と正面側を形成するねじ挿入部材とを結合して構成することができ、以下、その代表的な実施例について説明する。
【００４５】
図８は、本発明の第３の実施例を表わしたものであり、図８（ａ）の分解斜視図及び図８（ｂ）の組立て状態の拡大断面図に示すように、掲示物用マグネット器具３１は、板状のマグネット部材３８とねじ挿入部材３７からなる器体３２と、複数のねじ部材３３で構成される。
【００４６】
ねじ挿入部材３７は、第１の実施例における器体２の形状と同様に、側面が略矩形で幅広に形成されており、ねじ挿入部材３７の背面３５には、溝部３５ａが設けられて断面が略コ字状をなし、該溝部３５ａの底面３５ｂには、正面３４に向かってねじ部材３３の軸部３３ｂが挿入可能な複数の軸用孔３５ｃ．．．が形成されている。
なお、溝部３５ａの深さは、図８（ｂ）に示されるように、ねじ挿入部材３７の背面３５からねじ部材３３の頭部３３ａの上面との隙間Ｎが１ｍｍ程度生じるように設定される。即ち、マグネット部材３８に干渉しないように設定されている。
【００４７】
なお、本実施例ではねじ挿入部材３７の背面３５に対して溝部３５ａが全面的に刳り抜かれた形状となっているが、第１の実施例における器体２の形状と同様に溝部の両側を残し刳り抜かれた形状としてもよく、ねじ挿入部材３７自体の作製は、押し出し成形やインジェクション成形等適宜の方法で実施される。
【００４８】
また、ねじ挿入部材３７の材料はマグネット部材３８が取付けられるものであれば特に制限はされない。即ち、強磁性体の材料であれば磁気吸着で取付けることができ、特に磁気吸着可能に着磁されたマグネット材料を使用する場合はより強固に磁気吸着で取付けることができる。また、非磁性体の材料の場合は接着等により取付けることができる。
【００４９】
本実施例における掲示物用マグネット器具３１の壁面への取付けは、図８（ａ）に示すように、図示しない壁面に設けたねじ用下孔に対して、ねじ挿入部材３７の軸用孔３５ｃに挿入したねじ部材３３の軸部３３ｂをねじ込むことにより、ねじ挿入部材３７を壁面に取り付ける。その後に、ねじ挿入部材３７の背面３５に対してマグネット部材３８を、上述の通りねじ挿入部材３７の材料に適した手段により取付ける。
【００５０】
本実施例においては、ねじ挿入部材３７がマグネット製である場合を除き、器体３２の背面部材のみマグネット製とすればよいので、マグネット部材３８は単純形状で実施できるので生産性が良く、使用量も少なくて良い利点があると共に、掲示物に対する磁気吸着面積も広くできる。また、ねじ挿入部材３７が強磁性体製である場合は、マグネット部材３８を磁気吸着力のみで取付けることができ、特にマグネット製である場合はより強固に取付けることができる。
【００５１】
図９は、本発明の第４の実施例を表わしたものであり、図９（ａ）の分解斜視図及び図９（ｂ）の組立て状態の拡大断面図に示すように、掲示物用マグネット器具４１は、板状のマグネット部材４８とねじ挿入部材４７からなる器体４２と、複数のねじ部材４３で構成される。
【００５２】
この実施例は、前述の第３の実施例におけるねじ挿入部材３７を薄肉形状で実施したものであり、重複部分は省略して説明する。
【００５３】
即ち、ねじ挿入部材４７は、強度の高い金属製材料等においては薄肉で実施することが可能であり、プレス加工や曲げ加工、更には押し出し成形によって、正面４４、背面４５、溝部４５ａ、底面４５ｂを形成する。この時、底面４５ｂの裏側の面は、正面４４より突出しないようにした方が、図示しない壁面に取付けた際に、安定性の良いものとなる。その後、軸用孔４５ｃは孔開け加工にて形成される。
【００５４】
なお、溝部４５ａの深さは、第３の実施例と同様に、図９（ｂ）に示されるように、ねじ挿入部材４７の背面４５からねじ部材４３の頭部４３ａの上面との隙間Ｎが１ｍｍ程度生じるように設定される。即ち、マグネット部材４８に干渉しないように設定されている。
【００５５】
そして、ねじ挿入部材４７が金属製材料の場合は、最終形状にて防錆処理を兼ねた各種のメッキや塗装等の表面処理を施して部材を完成させる。
【００５６】
ねじ挿入部材４７以外の部材である、マグネット部材４８及びねじ部材４３、頭部４３ａ、軸部４３ｂ、ワッシャ４３ｗについては、前述の実施例３と同様のものを使用すれば良い。
【００５７】
本実施例によれば、ねじ挿入部材４７の材料を最小限とすることができるので、材料代を低減することができると共に軽量化させることができるので取付け作業性が向上する利点がある。
【００５８】
また、本発明においては、ねじ挿入部材の材料が合成樹脂等の非磁性体による非マグネット製とした場合に、マグネット部材と直接的に接着等で接合しないで、両部材を係合にて接合する構造でも実施することができる。
【００５９】
図１０は本発明の第５の実施例を表わしたものであり、図１０（ａ）は分解斜視図、図１０（ｂ）は組立状態の拡大断面図を示す。
【００６０】
この実施例における掲示物用マグネット器具５１は、ねじ挿入部材５７とマグネット部材５８からなる器体５２と、複数のねじ部材５３により構成されている。
【００６１】
ねじ挿入部材５７は、その背面５５に溝部５５ａを有する断面略コ字状で、その垂直方向に伸延させた帯状の幅広形状に形成されており、上面５９及び下面５６には背面５５の中心方向に向かって係合突起５５ｄ，５５ｄが設けられており、そこから正面５４方向に向かって係合溝５５ｅ，５５ｅが形成される。
【００６２】
また、溝部５５ａの底面５５ｂから正面５４に向かって複数の軸用孔５５ｃ．．．が長手方向に沿って形成されている。なお、この軸用孔５５ｃ．．．及び溝部５５ａの底面５５ｂは、ねじ部材５７が傾いて取付けられるように、所定角度傾斜して設けられている。
【００６３】
マグネット部材５８は、断面略凸字状で、その垂直方向に伸延させた帯状の幅広形状に形成されており、上面５８ａ及び下面５８ｂの下部には係合突起５８ｄ，５８ｄが設けられ、背面５８ｃ側には後述するねじ挿入部材５７に取付けた際に磁気吸着面を突出させるための突出部５８ｆが形成される。
【００６４】
そして、掲示物用マグネット器具５１を壁面に取付けるには、図１０（ａ）に示すように、先ず、ねじ部材５３．．．の軸部５３ｂ．．．をねじ挿入部材５７の軸用孔５５ｃ．．．に挿入し、図示しない壁面のねじ用下孔に対してねじ込むことにより、ねじ挿入部材５７を壁面に取付ける。次に、ねじ挿入部材５７の側面方向から、マグネット部材５８を、ねじ挿入部材５７の係合溝５５ｅ，５５ｅに対して、マグネット部材５８の係合突起５８ｄ，５８ｄが嵌合するようにスライドさせると図１０（ｂ）のように、掲示物用マグネット器具５１が壁面に取付けられることになる。
【００６５】
なお、マグネット部材５８とねじ挿入部材５７との横方向のスライドを規制するには、部分的に接着剤を使用したり、両部材のスライド嵌合部の一部に図示しない任意の凹凸嵌合部を設け、強制嵌合にて取付ける等の汎用の技術を用いて実施することができる。
【００６６】
以上のように本実施例によれば、ねじ挿入部材が非磁性体の場合にマグネット部材に対して直接的な接着等で接合することなく両部材の係合によって接合ができるので、分解して再使用することができる。
【００６７】
図１１は、本発明における第６の実施例を表したものであり、第５の実施例とはねじ挿入部材とマグネット部材との嵌合位置及び形状が異なっている。また、ねじ部材の取付け角度も通常の垂直状態となるようになっている。
【００６８】
具体的には、図１１（ａ）の分解斜視図及び図１１（ｂ）の組立状態の断面図に表わされるように、ねじ挿入部材６７には、その上面６９及び下面６６の背面６５寄りに係合突起６５ｄ，６５ｄ及び係合溝６５ｅ，６５ｅが形成されており、マグネット部材６８には、同部に嵌合する係合溝６８ｅ、６８ｅ及び係合突起６８ｄ，６８ｄが上下の面６８ａ，６８ｂに形成され、背面６８ｃが掲示物に対する磁気吸着面となる。
【００６９】
また、ねじ挿入部材６７の背面６５側には溝部６５ａが形成されており、その底面６５ｂには長手方向に沿ってねじ部材６３の軸部６３ｂを挿入させるための複数の軸用穴６５ｃ．．．が設けられている。
【００７０】
そして、掲示物用マグネット器具６１を壁面に取付けるには、図１１（ａ）に示すように、先ず、ねじ部材６３．．．の軸部６３ｂ．．．をねじ挿入部材６７の軸用孔６５ｃ．．．に挿入し、図示しない壁面のねじ用下孔に対してねじ込むことにより、ねじ挿入部材６７を壁面に取付ける。次に、ねじ挿入部材６７の側面方向から、マグネット部材６８を、ねじ挿入部材６７の係合溝６５ｅ，６５ｅ及び係合突起６５ｄ，６５ｄに対して、マグネット部材６８の係合突起６８ｄ，６８ｄ及び係合溝６８ｅ，６８ｅが嵌合するようにスライドさせると図１１（ｂ）のように、掲示物用マグネット器具６７が壁面に取付けられることになる。
【００７１】
従って本実施例においても、ねじ挿入部材が非磁性体の場合にマグネット部材に対して直接的な接着等で接合することなく両部材の係合によって接合ができるので、分解して再使用することができる。
【００７２】
これまで説明した各鋲付きマグネット板は、幅広の帯状に形成されているが、本発明においては、これらを所定間隔設けて複数連結した鋲付きマグネット板として実施することができる。
【００７３】
図１２は、本発明における第７の実施例及び変形例を表わす。
この実施例は、掲示物用マグネット器具に磁気吸着で取付ける掲示物を、より確実に取付ける場合や、掲示物が大型であったり、形状が変形しているものに対して適合するように構成される。
【００７４】
これまで説明した各実施例共に実施することが可能であるが、代表的なものとして第１の実施例を使用した場合について、図１２（ａ）〜（ｄ）を使用して説明する。但し、これらはあくまでも一例であって、掲示物の形状により、変形して使用できることは言うまでもない。また、各実施例の形態にあわせて変形して使用することもできる。さらに、場合によっては各実施例をリンクさせて使用することも可能である。
【００７５】
図１２（ａ）は、本発明の第７の実施例を正面方向から見た斜視図を表わしたものであり、掲示物は方形のものとなっている。この場合の掲示物用マグネット器具７１ａは上下方向に所定の間隔を設けて、２本の掲示物用マグネット器具７１ａａ，７１ａａを配置し、それらの背面を同一部材、即ちマグネット製の部材で連結した構成となっている。なお、７３ｂはねじ部材の軸部である。
【００７６】
図１２（ｂ）は、第７の実施例における第１の変形例を表わし、掲示物がハート型のものに使用する。この場合は、上下の掲示物用マグネット器具７１ｂａ及び７１ｂｂの長さ及び側面形状が異なったものとなっている。
【００７７】
図１２（ｃ）は、第７の実施例における第２の変形例を表わしたものであり、掲示物が六角形のものに使用する形態となっている。この変形例においては、上下方向に三段、さらに中段部は中央部にも間隔を設けた４つの掲示物用マグネット器具７１ｃａ，７１ｃｂ，７１ｃｃ，７１ｃｄを連結した構成となっている。
【００７８】
図１２（ａ）〜（ｃ）に示した第１３の実施例及び変形例の各構成においては、掲示物の形状に合わせたマグネット面が形成されるので、掲示物を確実に磁気吸着させる利点がある。
【００７９】
なお、複数の掲示物用マグネット器具の連結は他の構造で実施することは、当然に可能である。図１２（ｄ）は、第７の実施例における第３の変形例を表わしたものであり、上下方向に三段に所定間隔を設けて配置した掲示物用マグネット器具７１ｄａ，７１ｄｂ，７１ｄｃを、テープ７６で連結したものである。この場合のテープ７６の接着面は、ねじ部材の軸部７３ｂが突出する面とした方が掲示物への影響が少ないので好ましい。
【００８０】
また、複数の掲示物用マグネット器具の連結は、これら以外にも鎖、紐等の汎用の部材を適宜に取付けて実施しても良い。
【００８１】
図１３は、第７の実施例の掲示物用マグネット器具に掲示物を取付け、さらに家庭用等の壁面に取付けることを表わす、取付け説明用斜視図を示す。
【００８２】
なお、基本的には、図３を用いて説明した第１の実施例の取付けと同様であり、ねじ部材７３．．．を、その軸部７３ｂ．．．が掲示物用マグネット器具７１ａの上方における掲示物用マグネット器具７１ａａ部分の器体部７２’の軸用孔７５ｃ．．．に挿入された状態で、壁面Ｗのねじ用下孔Ｗｃ．．．にねじ込む。さらに、下方における掲示物用マグネット器具７１ａａ部分も同様に行って、掲示物用マグネット器具７１ａを壁面Ｗに取付ける。
この状態で、掲示物用マグネット器具７１ａの背面に、掲示物Ｐの裏面に取付けられた強磁性体Ｓを磁気吸着にて取付けることにより、掲示物Ｐは壁面Ｗに取付けられる。
【００８３】
但し、第１の実施例の取付けとは、掲示物用マグネット器具７１ａにおける掲示物Ｐの取付け側の面が、掲示物Ｐと略同一形状に形成されており、掲示物Ｐの裏面に接着等で取付ける強磁性体板Ｓを輪郭に沿って多数使用している点が異なっている。なお、この強磁性体板Ｓは、前述した図３に示す小片Ｓａを複数使用しても良いし、一枚物として掲示物Ｐの全面に取付けても良い。さらに、強磁性体板自体が掲示物の場合や、絵画等の額縁等の枠体として使用されていても応用可能である。
【００８４】
図１４は、強磁性体板Ｓを介して掲示板Ｐを取付けた第７の実施例における掲示物用マグネット器具を、壁面Ｗに取付けた状態を表わす断面図である。
【００８５】
図１４（ａ）は、第１の実施例における掲示物用マグネット器具を連結した掲示物用マグネット器具７１を使用した場合を示し、図１４（ｂ）は、第１の実施例の変形例における掲示物用マグネット器具を連結した掲示物用マグネット器具７１’を使用した場合を示している。
【００８６】
第７の実施例によれば、掲示物を、より確実に取付けることができると共にねじ部材を希望する位置に確実に配置できる利点があり、特に、掲示物が大型であったり、形状が変形しているものに対して有効的に使用することができる。
【００８７】
なお、これまで説明した各実施例及び各応用例を用いて壁面に取付ける掲示物は、紙や樹脂シート等の非磁性体製で薄板形状のもので表わしていたが、これ以外の形態で実施することは当然に可能であり、以下に掲示物の代表的な応用例について説明する。
【００８８】
図１５に表わす掲示物Ｐｂは、木製等の適宜な材料で形成された額縁等の薄型の箱体であり、裏面に複数の強磁性体板Ｓ．．．を接着等により取付けて使用する。なお、この強磁性体板は、掲示物Ｐｂの裏面の形状や重量により、一枚物等の適宜な状態を選択して使用することができる。
【００８９】
図１６に表す掲示物Ｐｃは、表面にイラストや各種表示を施した鉄等の強磁性体製の板状に形成されている。この場合は、掲示物Ｐｃ自体が強磁性体であるので、これまでのように別体の強磁性体板を用いる必要はなく、コンパクトな形体となる利点がある。なお、強磁性体製の掲示物は板状に限らず、前述した図１５に表わす額縁状の掲示物Ｐｂ等に形成して実施することもできる。
【００９０】
なお、本発明は掲示物以外の箱状物品を取付ける技術としても応用が可能であり、図１７にその応用例を示す。
【００９１】
この応用例における箱状物品は、図１７（ａ）の取付け説明用斜視図に表わすように、家庭用の部屋等の隅に設置するコーナー収納棚Ｈであり、略直角に形成される二つの背面Ｈａ，Ｈｂの上方及び下方に扇形で形成された上面Ｈｃ、下面Ｈｄを取付け、正面側Ｈｅが開放される形体となっている。そして、背面Ｈａ，Ｈｂの上部及び下部には強磁性体板Ｓ１，Ｓ２、Ｓ３，Ｓ４が接着等により取付けられている。
【００９２】
また、部屋のコーナー部に略直角に形成された壁面Ｗｂには、上記のコーナー収納棚Ｈに取付けられた強磁性体板Ｓ１，Ｓ２、Ｓ３，Ｓ４が対応する位置に、これまで説明した本発明における掲示物用マグネット器具８１ａ，８１ｂ，８１ｃ，８１ｄが取付けられている。
【００９３】
この状態で図１７（ａ）の図中に矢印で示すように、コーナー収納棚Ｈの背面Ｈａに取付けられた強磁性体Ｓ１を、壁面Ｗｂに取付けられた掲示物用マグネット器具８１ａに合うように、コーナー収納棚Ｈを回転させて壁面Ｗｂに近接させると、図２９（ｂ）の一部断面斜視図のように磁気吸着し、同時に他の三つの強磁性体板Ｓ２、Ｓ３，Ｓ４と掲示物用マグネット器具８１ｂ，８１ｃ，８１ｄも磁気吸着することにより、コーナー収納棚Ｈを壁面Ｗｂにより取付けることができる。
【００９４】
なお、コーナー収納棚Ｈは、強磁性体板を背面全体に取付けたり、コーナー収納棚Ｈ自体を強磁性体製とすれば壁面Ｗｂへの取付け作業性を向上させることができる。
また、コーナー収納棚Ｈは、図に表わす一体形状のほか、木材を釘等で接合して形成したり、紙やプラスチック板に折れ目を付けた展開形状のものを組立てて接合して形成する等の適宜の手段で作製することができる。
【００９５】
なお、本発明における掲示物用マグネット器具はこれまで説明した各実施例、変形例、応用例に限らず、各種変更して実施することができる。
【００９６】
例えば、ねじ部材の軸部を掲示物用マグネット器具の正面の垂直線に対し下向きに傾けて突出させる場合には、第１の実施例における変形例（図２参照）に示すように、ねじ部材の頭部の下面が接触する面を所定角度傾けて設けて設定することで実施できる。
【００９７】
また、第１の実施例及び第２の実施例における器体は一部材で形成されているが、背面部分をマグネット部材で形成して接着や適宜の連結構造で接合して構成したり、実施例における器体自体をねじ挿入部材とし、その背面にマグネット部材を接着等で取付ける構成で実施しても良い。
【００９８】
さらに、掲示物用マグネット器具の幅及びその端部の形状は、掲示物に合わせて作製しても良いし、予め可能な範囲で長尺に作製しておき、掲示物の幅や外形形状に合わせて裁断して使用するようにしても良い。
【００９９】
【発明の効果】
本発明は、断面が略矩形で帯状に伸延させた形体で背面がマグネット製でなる器体と、該器体に対しその正面から軸部が突出し、頭部が該器体の背面から突出しない状態に保持される頭付きのねじ部材とで構成される掲示物用マグネット器具としたので、比較的大型の写真やポスター等の掲示物を、その裏面に鉄板等の強磁性体板を取付けた状態とすれば、簡単に磁気吸着で取付けることができ、さらに、強度の弱い壁面に対してもねじ部材により確実に取付けることができる。
また、構造が簡単なため、掲示物用マグネット器具の組立て作業や、掲示物用マグネット器具の家庭用の壁面等への取付け作業も簡単に行うことができる。
【図面の簡単な説明】
【図１】本発明における第１の実施例を表わしたものであり、（ａ）は分解斜視図、（ｂ）は、（ａ）におけるＡ−Ａ拡大断面図を示す。
【図２】本発明における第１の実施例の変形例を表わしたものであり、（ａ）は分解斜視図、（ｂ）は、（ａ）におけるＢ−Ｂ拡大断面図を示す。
【図３】本発明における第１の実施例による掲示物用マグネット器具の取付け説明用の斜視図を示す。
【図４】本発明における第１の実施例による掲示物用マグネット器具板を壁面に取付けた状態の断面図を示す。
【図５】本発明における第１の実施例による掲示物用マグネット器具を、曲面を有する壁面に取付けた状態の斜視図を示す。
【図６】本発明における第２の実施例の分解斜視図を示す。
【図７】本発明における第２の実施例の嵌合状態を表わしたものであり、（ａ）は壁面への取付け状態を示す拡大断面図、（ｂ）は、器体にねじ部材を挿入した正面図、（ｃ）は器体にねじ部材を挿入した底面図を示す。
【図８】本発明における第３の実施例を表わしたものであり、（ａ）は分解斜視図、（ｂ）は組立て状態の拡大断面図を示す。
【図９】本発明における第４の実施例を表わしたものであり、（ａ）は分解斜視図、（ｂ）は組立て状態の拡大断面図を示す。
【図１０】本発明における第５の実施例を表わしたものであり、（ａ）は分解斜視図、（ｂ）は組立て状態の拡大断面図を示す。
【図１１】本発明における第６の実施例を表わしたものであり、（ａ）は分解斜視図、（ｂ）は組立て状態の拡大断面図を示す。
【図１２】本発明における第７の実施例及び変形例を表わしたものであり、（ａ）は実施例の斜視図、（ｂ）は第１の変形例の斜視図、（ｃ）は第２の変形例の斜視図、（ｄ）は第３の変形例の斜視図を示す。
【図１３】本発明における第７の実施例による掲示物用マグネット器具の取付け説明用斜視図を示す。
【図１４】本発明における第７の実施例による掲示物用マグネット器具の壁面への取付け状態を表わす断面図であり、（ａ）は第１の実施例の掲示物用マグネット器具を連結したもの、（ｂ）は第１の実施例における変形例の掲示物用マグネット器具を連結したものを示す。
【図１５】本発明における掲示物用マグネット器具に磁気吸着にて取付ける掲示物の応用例を表わす斜視図である。
【図１６】本発明における掲示物用マグネット器具に磁気吸着にて取付ける掲示物の他の応用例を表わす斜視図である。
【図１７】本発明における掲示物用マグネット器具に磁気吸着にて取付けるコーナー収納棚の取付け説明図であり、（ａ）は取付前の斜視図、（ｂ）は取付後の一部断面斜視図を示す。
【符号の説明】
Ｐ、Ｐａ、Ｐｃ、Ｐｄ  掲示物
Ｈ  コーナー収納棚
Ｈａ、Ｈｂ  背面
Ｈｃ  上面
Ｈｄ  下面
Ｈｅ  正面側
Ｓ、Ｓ１、Ｓ２、Ｓ３、Ｓ４  強磁性体板
Ｓａ  小片
Ｗ、Ｗａ、Ｗｂ  壁面
Ｗｃ  ねじ用下孔
Ｍ  傾斜角度
Ｎ  隙間
Ｙ１  嵌合軸部の長さ
Ｙ２  嵌合軸部の径
Ｖ１  保持片の厚さ
Ｖ２  取付け溝部の幅
１、１’、１ａ、２１、３１、４１、５１、６１、７１、７１’、７１ａ、７１ａａ、７１ｂ、７１ｂａ、７１ｂｂ、７１ｃ、７１ｃａ、７１ｃｂ、７１ｃｃ、７１ｃｄ、７１ｄ、７１ｄａ、７１ｄｂ、７１ｄｃ、８１ａ、８１ｂ、８１ｃ、８１ｄ  掲示物用マグネット器具
２、２’、２２、３２、４２、５２、６２  器体
３、３’、２３、３３、３３’、４３、５３、６３、７３、７３’  ねじ部材
３ａ、３ａ’、２３ａ、３３ａ、４３ａ、５３ａ、６３ａ  頭部
３ｂ、３ｂ’、２３ｂ、３３ｂ、４３ｂ、５３ｂ、６３ｂ、７３ｂ  軸部
３ｃ、３ｃ’、２３ｃ  先端部
３ｗ、３ｗ’、３３ｗ、４３ｗ、５３ｗ、６３ｗ  ワッシャ
４、４’、２４、３４、４４、５４、６４  正面
５、５’、２５、３５、４５、５５、６５  背面
５ａ、５ａ’、３５ａ、４５ａ、５５ａ、６５ａ  溝部
５ｂ、５ｂ’、３５ｂ、４５ｂ、５５ｂ、６５ｂ  底面
５ｃ、５ｃ’、３５ｃ、４５ｃ、５５ｃ、６５ｃ、７５ｃ  軸用孔
６、６’、２６  、３６、４６、５６  下面
２３ｄ  嵌合軸部
２４ａ  保持片
２４ｂ  取付け用溝部
２４ｃ  リブ
２６、５６、６６  下面
２６ａ  溝部
３７、４７、５７、６７  ねじ挿入部材
３８、４８、５８、６８  マグネット部材
５５ｄ、５８ｄ、６５ｄ、６８ｄ  係合突起
５５ｅ、６５ｅ、６８ｅ  係合溝
５８ａ、６８ａ  上面
５８ｂ、６８ｂ  下面
５８ｃ、６８ｃ  背面
５８ｆ  突出部
５９、６９  上面
７２’  器体部
７６  テープ
【図１】
2004361547.tif 000003
【図２】
2004361547.tif 000004
【図３】
2004361547.tif 000005
【図４】
2004361547.tif 000006
【図５】
2004361547.tif 000007
【図６】
2004361547.tif 000008
【図７】
2004361547.tif 000009
【図８】
2004361547.tif 000010
【図９】
2004361547.tif 000011
【図１０】
2004361547.tif 000012
【図１１】
2004361547.tif 000013
【図１２】
2004361547.tif 000014
【図１３】
2004361547.tif 000015
【図１４】
2004361547.tif 000016
【図１５】
2004361547.tif 000017
【図１６】
2004361547.tif 000018
【図１７】
2004361547.tif 000019
【手続補正書】
【提出日】平成16年4月12日(2004.4.12)
【手続補正１】
【補正対象書類名】明細書
【補正対象項目名】全文
【補正方法】変更
【補正の内容】
【特許請求の範囲】
【請求項１】断面が略矩形で帯状に伸延させた形体で少なくとも背面がマグネット製でなる器体と、該器体に対しその正面から軸部が突出し、頭部が該器体の背面から突出しない状態に保持される頭付きのねじ部材とで構成されることを特徴とする掲示物用マグネット器具
【請求項２】器体はマグネット製であり、その背面側にねじ部材の頭部が完全に陥没する溝部を該器体の長手方向に沿って形成すると共に、該溝部の底面には上記ねじ部材の軸部が挿入可能な軸用孔を長手方向に沿って複数配設させたことを特徴とする請求項１に記載の掲示物用マグネット器具
【請求項３】器体はマグネット製で下面側からねじ部材の頭部が挿入可能な溝部を有する略コ字状の断面形状を有し、器体の正面を形成する保持片には、ねじ部材の軸部の上部に該保持片の厚さより若干長く、且つ、該軸部の径から１乃至２ｍｍ程度大きく形成された嵌合軸部が嵌合する取付け溝部を、上記器体の長手方向に沿って複数個形成していることを特徴とする請求項１に記載の掲示物用マグネット器具
【請求項４】器体は、背面側を形成するマグネット部材と正面側を形成するねじ挿入部材とを接合して構成することを特徴とする請求項１に記載の掲示物用マグネット器具
【請求項５】ねじ挿入部材は、その背面側にねじ部材の頭部が完全に陥没する溝部を該ねじ挿入部材の長手方向に沿って形成すると共に、該溝部の底面には上記ねじ部材の軸部が挿入可能な軸用孔を長手方向に沿って複数配設させたことを特徴とする請求項４に記載の掲示物用マグネット器具
【請求項６】ねじ挿入部材は、強磁性体製であり、マグネット部材に対して磁気吸着にて取付けることを特徴とする請求項４または５に記載の掲示物用マグネット器具
【請求項７】ねじ挿入部材は、マグネット製であることを特徴とする請求項６に記載の掲示物用マグネット器具
【請求項８】ねじ挿入部材は非磁性体製であり、その断面が上下の面に夫々係合突起及び係合溝を有し背面側に溝部を設けた断面が略コ字状で帯状に伸延させた形体であり、該溝部の底面にはねじ部材の軸部が挿入できる軸用孔を長手方向に沿って複数個設けると共に、該軸用孔に対して上記ねじ部材の軸部が突き出るように挿入した状態で、上記ねじ部材における頭部の上面を覆うマグネット部材を、上記ねじ挿入部材の係合突起または係合溝に対して着脱自在にスライドさせて取付けることを特徴とする請求項４に記載の掲示物用マグネット器具
【請求項９】複数の器体を所定の間隔を設けて連結して使用することを特徴とする請求項１〜８のいずれかに記載の掲示物用マグネット器具
【請求項１０】器体におけるねじ部材の頭部の下面と接触する面は、該器体の正面側の面に対し所定角度傾いて形成されていることを特徴とする請求項１〜９のいずれかに記載の掲示物用マグネット器具
【発明の詳細な説明】
【０００１】
【発明の属する技術分野】
本発明は、非磁性の各種壁面に対して、比較的大型の写真やポスター等の掲示物を取付けるのに適した掲示物用マグネット器具に関するものである。
【０００２】
【従来の技術】
従来から、比較的大型の写真やポスター等の掲示物（以下、掲示物と表記する）を、非磁性の掲示板や室内壁面用仕上げ部材及び各種素材を用いた壁体等の壁面（以下、壁面と表記する）に取付ける手段として、掲示物と壁面間に接着剤を使用して接着したり、掲示物の表面から画鋲（押しピン）を壁面に押し込んで取付ける方法が日常的に用いられている。しかしながら、前者は壁面を汚したり、貼り替え時に手間がかかる不都合があり、後者は掲示物に画鋲痕が残る不都合を有していた。
【０００３】
これらの不都合を解消する手段としては、掲示物を、その裏面に磁石が吸いつく金属等の小片（鉄板等）を貼ったものとし、取付け部材として頭部に磁石を付けた画鋲を使用して、掲示物を画鋲の頭部に磁気吸着にて取付けた状態で、画鋲のピン部を壁面に差込んで取付ける。または、画鋲を先に壁面に取付けた状態で、画鋲上に掲示物を磁気吸着で取付ける技術が公開されている。（特許技術文献１参照）
【０００４】
しかしながら、この技術に示された頭部に磁石を付けた画鋲は、頭部が小面積であるため、大型の掲示物に用いようとした場合は複数個必要となり、その取付け作業工数が多くなって不便であるという不都合を生じていた。
【０００５】
さらに、この画鋲を複数個使用し、その頭部の上面に掲示物磁気吸着で取付けた状態で壁面に各画鋲を差込んで取付ける手順の場合は、掲示物が紙状の柔らかなものであると、しわが寄りやすいと云う不都合を生じる。また、これらの画鋲を先に壁面へ取付けた後に、画鋲上に掲示物を磁気吸着で取付ける手順の場合は、画鋲を壁面に取付ける際に基準となるものが無いので位置ずれを起こし易く、それを防ぐためには慎重な作業が必要となるので、取付け作業性が好ましくないものであった。
【０００６】
なお、近年における室内壁面用仕上げ部材は、消防上の観点から不燃部材が広範囲に用いられているが、この不燃部材は石膏ボードが主体であるため強度が弱いので、この材料を使用した壁面に対しても適用できる構造が好ましいものとなる。
【０００７】
【特許文献１】
特開平９−１１６９７号公報（第２頁、第３図）
【０００８】
【発明が解決しようとする課題】
そこで本発明は、非磁性の各種壁面に対して、比較的大型の写真やポスター等の掲示物を取付ける時の作業性が良く、さらに強度の弱い壁面に対しても確実に取付けることができる掲示物用マグネット器具を提供することを目的とする。
【０００９】
【課題を解決するための手段】
本発明は、掲示物の幅と略同一の幅を有する取付け部材を用いれば従来の不都合を解消することを究明したものであり、具体的には、断面が略矩形で帯状に伸延させた形体で少なくとも背面がマグネット製でなる器体と、該器体に対しその正面から軸部が突出し、頭部が該器体の背面から突出しない状態に保持される頭付きのねじ部材とで構成される掲示物用マグネット器具によって実現できる。この場合の器体の幅は、掲示物に合わせて設定しても良いし、予め長尺に形成しておき、掲示物の幅に合わせて裁断することにより求めても良い。
【００１０】
この構成において、器体はマグネット製であり、その背面側にねじ部材の頭部が完全に陥没する溝部を該器体の長手方向に沿って形成すると共に、該溝部の底面には上記ねじ部材の軸部が挿入可能な軸用孔を長手方向に沿って複数配設させたものとすると、掲示物用マグネット器具の構造が簡単で、しかも、ねじ部材を希望する位置に直接取付けることができるので、家庭用の等壁面に対して掲示物用マグネット器具を簡単に、且つ、強固に取付けることができる。
【００１１】
また、器体はマグネット製で下面側からねじ部材の頭部が挿入可能な溝部を有する略コ字状の断面形状を有し、器体の正面を形成する保持片には、ねじ部材の軸部の上部に該保持片の厚さより若干長く、且つ、該軸部の径から１乃至２ｍｍ程度大きく形成された嵌合軸部が嵌合する取付け溝部を、上記器体の長手方向に沿って複数個形成するようにして実施することもできる。この場合は、家庭等の壁部材に取付けられたねじ部材に対して、掲示物用マグネット器具を引っ掛けるだけで取付けることができるので、掲示物用マグネット器具の取付け作業を簡単に行うことができる。
【００１２】
本発明における器体は、背面側を形成するマグネット部材と正面側を形成するねじ挿入部材とを接合して構成しても良く、この構成によればマグネット部材の構造が単純構造で可能となるので生産性が良く、更に最小限の材料で済むのでコスト上の利点がある。
【００１３】
この構成におけるねじ挿入部材は、その背面側にねじ部材の頭部が完全に陥没する溝部を該ねじ挿入部材の長手方向に沿って形成すると共に、該溝部の底面には上記ねじ部材の軸部が挿入可能な軸用孔を長手方向に沿って複数配設させる形体で実施することができる。この場合には、ねじ部材を希望する位置に直接取付けることができるので、家庭用の等壁面に対して掲示物用マグネット器具を簡単に、且つ、強固に取付けることができる。
【００１４】
なお、ねじ挿入部材は、強磁性体製であり、マグネット部材に対して磁気吸着にて取付けるようにすると、器体の組立てが簡単となり、作業性を向上させることができる。
【００１５】
さらに、ねじ挿入部材をマグネット製にすると、マグネット部材とねじ挿入部材の磁気吸着による接合を、より強固に行うことができる。
【００１６】
また、本発明は、ねじ挿入部材は非磁性体製であり、その断面が上下の面に夫々係合突起及び係合溝を有し背面側に溝部を設けた断面が略コ字状で帯状に伸延させた形体であり、該溝部の底面にはねじ部材の軸部が挿入できる軸用孔を長手方向に沿って複数個設けると共に、該軸用孔に対して上記ねじ部材の軸部が突き出るように挿入した状態で、上記ねじ部材における頭部の上面を覆うマグネット部材を、上記ねじ挿入部材の係合突起または係合溝に対して着脱自在にスライドさせて取付ける構成とすることができる。
この場合は、ねじ挿入部材とマグネット部材との接合を、磁気吸着作用を用いることなく、マグネット部材をねじ挿入部材に差込むだけで簡単に行うことができる。
【００１７】
なお、上述した各種の構成の器体は、複数個を所定の間隔を設けて連結する構成で実施しても良い。この構成は、特に大型の掲示物や変形形状の掲示物に対して有効であり、掲示物を確実に磁気吸着で取付けできると共に、ねじ部材を適正に配置できるので、ねじ部材を最小限の数量とすることができ、壁面に対する取付け作業性が向上する。
【００１８】
また、器体におけるねじ部材の頭部の下面と接触する面は、該器体の正面側の面に対し所定角度傾いて形成するようにしてもよい。この場合は、家庭用等の壁面に対してねじ部材を傾斜させて取付けることになるので、より強固に取付けることができ、壁面の強度が弱いものに対して特に効果的である。
【００１９】
【発明の実施の形態】
本発明における掲示物用マグネット器具は、断面が略矩形で帯状に伸延させた形体で背面がマグネット製でなる器体と、該器体に対しその正面から軸部が突出し、頭部が該器体の背面から突出しない状態に保持される頭付きのねじ部材とで構成することを基本とするものであり、以下、器体自体がマグネット製で構成されるものから順に、各実施例に沿って詳細に説明する。
【００２０】
図１は、本発明の第１の実施例を表したものであり、図１（ａ）の分解斜視図及び図１（ｂ）のＡ−Ａ拡大断面図に示すように、掲示物用マグネット器具１は器体２と複数のねじ部材３によって構成される。
【００２１】
器体２は、全体がマグネット製であり側面が略矩形で幅広に形成されている。そして、器体２の背面５には、溝部５ａが設けられて断面が略コ字状をなし、該溝部５ａの底面５ｂには、正面４に向かってねじ部材３の軸部３ｂが挿入可能な複数の軸用孔５ｃ．．．が形成されている。
なお、溝部５ａの深さは、図１（ｂ）に示されるように、器体２の背面５からねじ部材３の頭部３ａの上面との隙間Ｎが１ｍｍ程度生じるように設定される。即ち、掲示物Ｐの背面に取付けられる鉄板等の強磁性体板Ｓに干渉しないように設定されている。
【００２２】
また、この実施例では器体２に対して溝部５ａが両側を残して刳り抜かれた形状となっているが、全面的に溝部が表れるように形成してもよく、器体２自体の作製は、押し出し成形やインジェクション成形等適宜の方法で実施される。
【００２３】
なお、器体２の材料は、フェライト系、マンガン・アルミニウム系、サマリウム・コバルト系、ネオジウム・鉄・ホウ素系、サマリウム・鉄・窒素系等の硬質磁性材料からなる磁石材料微粉末を有機高分子エラストマーに練り込み着磁された樹脂製マグネット等適宜のマグネットが用いられる。この内、樹脂製マグネットは柔軟性があるので後述する壁面に取付ける際に、壁面が平坦面以外の曲面にも追従させることができるので好ましく使用される。
【００２４】
ねじ部材３は、図１（ａ）に示すように、壁面Ｗに設けられたねじ用下孔Ｗｃにねじ込んで使用するものであり、器体２を壁面Ｗに対して強固に取付ける目的で使用する。
なお、頭部３ａの形状は特に限定はされないがトラス等の径の大きいものが効果的である。また、器体２が比較的柔らかい材料の場合には本実施例のようにワッシャ３ｗを使用するのが好ましい。
軸部３ｂのねじ形状は、取付ける壁部材の性質に合わせて木ねじ、タッピンねじ等適宜のものを選択する。この場合の先端部３ｃはねじ形状や同部の溝の有無と関連するので、本実施例のような鋭利なものでなくても良い。
【００２５】
図２は、第１の実施例の変形例を表わしたものであり、図２（ａ）の分解斜視図及び図２（ｂ）のＢ−Ｂ拡大断面図に示すように、基本的な構成は第１の実施例と同様であるが、ねじ部材の取付け角度が異なっている。
【００２６】
即ち、掲示物用マグネット器具１’の器体２’の背面５’に設けられる溝部５ａ’の底面５ｂ’及び軸用孔５ｃ’は図２（ｂ）に示すように傾斜角度Ｍを有しており、ねじ部材３’を器体２’に挿入した際の頭部３ａ’及び軸部３ｂ’も傾くことによって、軸部３ｂ’が器体２’の正面４’から下向きに傾斜して突出することになる。なお、傾斜角度Ｍはこの実施例では１５度に設定しているが、掲示物の大きさや重量、壁面の強度等を勘案して設定する。また、この変形例においてもワッシャ３ｗ’は、第１の実施例同様適宜に選択して使用する。
【００２７】
この変形例によれば、ねじ部材を壁部材に対して下向きに傾斜して取付けることができるので、より強固に取付けることができると云う利点がある。
【００２８】
次に、本発明による掲示用マグネット器具の使用方法について、第１の実施例を用いて図３〜図５により説明する。
【００２９】
図３の取付け説明用の斜視図に表わされるように、大型の掲示物Ｐの裏面に所定位置（この図では上下の２箇所）にマグネットに磁気吸着する薄い鉄板等で形成された強磁性体板Ｓが、接着等により取付けられている。なお、この強磁性体板Ｓは、下方の取付け状態に表わされるように小片Ｓａを複数配置して実施しても良い。勿論、この強磁性体板Ｓは掲示物全面に取付けられたり、さらに、強磁性体板Ｓ自体が掲示物の場合や、絵画等の額縁等の枠体として使用されていても応用可能である。
【００３０】
そして、掲示物用マグネット器具１を、掲示物Ｐの大きさや重量に適合するように、掲示物の幅に合わせたものを複数（この図では上下の２ヶ所）準備し、また、掲示物用マグネット器具１を壁面Ｗに取付けるためのねじ部材３も複数個準備する。なお、ねじ部材３のねじ部の長さを決めるための軸部３ｂの突出代は、掲示物の重量及び下述する取付け用の壁面Ｗの強度を勘案し設定される。
【００３１】
この状態から、掲示物Ｐを壁面Ｗ上に取付けるには、図３に表わすように、先ず、壁面Ｗへ複数のねじ部材３．．．の取付位置に対応するようにねじ用下孔Ｗｃ．．．を開けておく。なお、この孔開け作業は、器体２を壁面Ｗに当てた状態で、その軸用孔５ｃをガイドに行うのが効率的である。
【００３２】
次に、器体２の一つ軸用孔５ｃにねじ部材３の軸部３ｂを挿入した状態で、ねじ部材３を壁面Ｗに設けられたねじ用下孔Ｗｃにねじ込んで取付ける。同様に他の壁面Ｗに設けられたねじ用下孔Ｗｃ．．．対しても、ねじ部材３．．．をねじ込んで取付けることにより、器体２が壁面Ｗに取付けられる。（図４参照）
器体２を複数使用する場合（この図では上下の２ヶ所）も同様な手順で、壁面Ｗに取付けて、全ての器体２の取付けを完了する。
【００３３】
この状態で、各器体２，２の背面５，５に対して掲示物Ｐの裏面に取付けられた強磁性体板Ｓ，Ｓａ，Ｓａ，Ｓａを近付けると、磁気吸着作用により、掲示物Ｐは壁面Ｗに取付けられる。
【００３４】
なお、本実施例における器体２の材料を前述した樹脂製マグネットとした場合は、柔軟性があるため、図５に示す平坦面以外の曲面を有する壁面Ｗａに対しても追従できるので、掲示物Ｐａを上述した内容と同様に取付けることができる。
【００３５】
以上のように、本発明の第１の実施例においては、掲示用マグネット器具を壁面へ簡単に、且つ、強固に取付けるができる。
また、掲示物の掲示用マグネット器具への取付けも、単に近接するだけで掲示物の裏面の略全面が磁気吸着される。
従って、総じて、掲示物の壁面への取付け作業が簡単でしかも確実に行うことができる。
【００３６】
図６及び図７は、本発明の第２の実施例を表わしたものであり、前述の第１の実施例とは、ねじ部材を先に壁面に取付けると云う構成上の違いがある
【００３７】
この実施例による掲示物用マグネット器具２１は、図６の分解斜視図に表わされるように、器体２２と複数のねじ部材２３で構成されている。
【００３８】
そして、ねじ部材２３は、軸部２３ｂの上部に、その径より１乃至２ｍｍ程度大きい嵌合軸部２３ｄが形成されている。また、頭部２３ａは大き目の径のものが好ましく、図に示す平形状や座付き形状等が用いられる。なお、本実施例においては後述するように頭部を狭い空間に差込むことになることと、上記嵌合軸部２３ｄ上に部材が嵌合することになるため、寸法精度を確保する必要があり、ワッシャは使用しない方が好ましい。
【００３９】
器体２２は、全体がマグネット製で、下面２６側から上記のねじ部材２３における頭部２３ａが最小隙間で挿入可能な溝部２６ａが設けられた断面が略コ字状で、幅広に形成されている。そして、その正面２４を形成する保持片２４ａには、器体２の長手方向に沿って複数の取付け用溝部２４ｂが形成されている。
【００４０】
器体２２と、ねじ部材２３の上述した以外の嵌合部分については、図７（ａ）の壁面への取付け状態を表わす拡大断面図、図７（ｂ）器体にねじ部材を挿入した正面図、図７（ｃ）器体にねじ部材を挿入した底面図に示すように、ねじ部材２３の嵌合軸部２３ｄの長さＹ１を器体２２の保持片２４ａの厚さＶ１より若干大き目とし、ねじ部材２３の嵌合軸部２３ｄの軸径Ｙ２が嵌合する器体２２に設けられる取付け用溝部２４ｂの幅Ｖ２は、ねじ部材を壁面に取付ける時のピッチ間の精度を配慮して大きめに形成される。
【００４１】
なお、器体２２は下面２６が開放されているため、背面２５の位置精度や強度を補強する必要がある場合は、図７（ｂ）及び図７（ｃ）に表わすように、溝部２６ａにおけるねじ部材２３の頭部２３ａが干渉しない位置にリブ２４ｃを配置してもよい。
【００４２】
以上の構成でなる第２の実施例による掲示物用マグネット器具２１を壁面に取付けるには、図６に表わされるように、最初に壁面Ｗにねじ部材２３．．．を取付けるためのねじ用下孔Ｗｃ．．．を開けておき、次に、ねじ部材２３の軸部２３ｂ．．．を壁面Ｗにねじ込んで取付ける。すると、図７（ａ）に表わされるように、ねじ部材２３の頭部２３ａの下面と壁面Ｗの表面間に、ねじ部材２３の嵌合軸部２３ｄが露出し嵌合隙間が形成されるので、そこに器体２２の保持片２４ａに設けた取付け用溝部２４ｂ差込むと、器体２２は壁面Ｗに対して僅かな嵌合隙間しか無い状態で取付けられる。
【００４３】
従って、本実施例においては、最初に壁面にねじ用部材を取付けた後に、器体を差込むだけで壁面に取付けることができるので、取付け作業性を向上させることができる。
【００４４】
本発明における器体は、背面側を形成するマグネット部材と正面側を形成するねじ挿入部材とを結合して構成することができ、以下、その代表的な実施例について説明する。
【００４５】
図８は、本発明の第３の実施例を表わしたものであり、図８（ａ）の分解斜視図及び図８（ｂ）の組立て状態の拡大断面図に示すように、掲示物用マグネット器具３１は、板状のマグネット部材３８とねじ挿入部材３７からなる器体３２と、複数のねじ部材３３で構成される。
【００４６】
ねじ挿入部材３７は、第１の実施例における器体２の形状と同様に、側面が略矩形で幅広に形成されており、ねじ挿入部材３７の背面３５には、溝部３５ａが設けられて断面が略コ字状をなし、該溝部３５ａの底面３５ｂには、正面３４に向かってねじ部材３３の軸部３３ｂが挿入可能な複数の軸用孔３５ｃ．．．が形成されている。
なお、溝部３５ａの深さは、図８（ｂ）に示されるように、ねじ挿入部材３７の背面３５からねじ部材３３の頭部３３ａの上面との隙間Ｎが１ｍｍ程度生じるように設定される。即ち、マグネット部材３８に干渉しないように設定されている。
【００４７】
なお、本実施例ではねじ挿入部材３７の背面３５に対して溝部３５ａが全面的に刳り抜かれた形状となっているが、第１の実施例における器体２の形状と同様に溝部の両側を残し刳り抜かれた形状としてもよく、ねじ挿入部材３７自体の作製は、押し出し成形やインジェクション成形等適宜の方法で実施される。
【００４８】
また、ねじ挿入部材３７の材料はマグネット部材３８が取付けられるものであれば特に制限はされない。即ち、強磁性体の材料であれば磁気吸着で取付けることができ、特に磁気吸着可能に着磁されたマグネット材料を使用する場合はより強固に磁気吸着で取付けることができる。また、非磁性体の材料の場合は接着等により取付けることができる。
【００４９】
本実施例における掲示物用マグネット器具３１の壁面への取付けは、図８（ａ）に示すように、図示しない壁面に設けたねじ用下孔に対して、ねじ挿入部材３７の軸用孔３５ｃに挿入したねじ部材３３の軸部３３ｂをねじ込むことにより、ねじ挿入部材３７を壁面に取り付ける。その後に、ねじ挿入部材３７の背面３５に対してマグネット部材３８を、上述の通りねじ挿入部材３７の材料に適した手段により取付ける。
【００５０】
本実施例においては、ねじ挿入部材３７がマグネット製である場合を除き、器体３２の背面部材のみマグネット製とすればよいので、マグネット部材３８は単純形状で実施できるので生産性が良く、使用量も少なくて良い利点があると共に、掲示物に対する磁気吸着面積も広くできる。また、ねじ挿入部材３７が強磁性体製である場合は、マグネット部材３８を磁気吸着力のみで取付けることができ、特にマグネット製である場合はより強固に取付けることができる。
【００５１】
図９は、本発明の第４の実施例を表わしたものであり、図９（ａ）の分解斜視図及び図９（ｂ）の組立て状態の拡大断面図に示すように、掲示物用マグネット器具４１は、板状のマグネット部材４８とねじ挿入部材４７からなる器体４２と、複数のねじ部材４３で構成される。
【００５２】
この実施例は、前述の第３の実施例におけるねじ挿入部材３７を薄肉形状で実施したものであり、重複部分は省略して説明する。
【００５３】
即ち、ねじ挿入部材４７は、強度の高い金属製材料等においては薄肉で実施することが可能であり、プレス加工や曲げ加工、更には押し出し成形によって、正面４４、背面４５、溝部４５ａ、底面４５ｂを形成する。この時、図９（ｂ）に表れるように、底面４５ｂの裏側の面は、正面４４より突出しないようにした方が、図示しない壁面に取付けた際に、安定性の良いものとなる。その後、軸用孔４５ｃは孔開け加工にて形成される。
【００５４】
なお、溝部４５ａの深さは、第３の実施例と同様に、図９（ｂ）に示されるように、ねじ挿入部材４７の背面４５からねじ部材４３の頭部４３ａの上面との隙間Ｎが１ｍｍ程度生じるように設定される。即ち、マグネット部材４８に干渉しないように設定されている。
【００５５】
そして、ねじ挿入部材４７が金属製材料の場合は、最終形状にて防錆処理を兼ねた各種のメッキや塗装等の表面処理を施して部材を完成させる。
【００５６】
ねじ挿入部材４７以外の部材である、マグネット部材４８及びねじ部材４３、頭部４３ａ、軸部４３ｂ、ワッシャ４３ｗについては、前述の実施例３と同様のものを使用すれば良い。
【００５７】
本実施例によれば、ねじ挿入部材４７の材料を最小限とすることができるので、材料代を低減することができると共に軽量化させることができるので取付け作業性が向上する利点がある。
【００５８】
また、本発明においては、ねじ挿入部材の材料が合成樹脂等の非磁性体による非マグネット製とした場合に、マグネット部材と直接的に接着等で接合しないで、両部材を係合にて接合する構造でも実施することができる。
【００５９】
図１０は本発明の第５の実施例を表わしたものであり、図１０（ａ）は分解斜視図、図１０（ｂ）は組立状態の拡大断面図を示す。
【００６０】
この実施例における掲示物用マグネット器具５１は、ねじ挿入部材５７とマグネット部材５８からなる器体５２と、複数のねじ部材５３により構成されている。
【００６１】
ねじ挿入部材５７は、その背面５５に溝部５５ａを有する断面略コ字状で、その垂直方向に伸延させた帯状の幅広形状に形成されており、上面５９及び下面５６には背面５５の中心方向に向かって係合突起５５ｄ，５５ｄが設けられており、そこから正面５４方向に向かって係合溝５５ｅ，５５ｅが形成される。
【００６２】
また、溝部５５ａの底面５５ｂから正面５４に向かって複数の軸用孔５５ｃ．．．が長手方向に沿って形成されている。なお、この軸用孔５５ｃ．．．及び溝部５５ａの底面５５ｂは、ねじ部材５３が傾いて取付けられるように、所定角度傾斜して設けられている。
【００６３】
マグネット部材５８は、断面略凸字状で、その垂直方向に伸延させた帯状の幅広形状に形成されており、上面５８ａ及び下面５８ｂの下部には係合突起５８ｄ，５８ｄが設けられ、背面５８ｃ側には後述するねじ挿入部材５７に取付けた際に磁気吸着面を突出させるための突出部５８ｆが形成される。
【００６４】
そして、掲示物用マグネット器具５１を壁面に取付けるには、図１０（ａ）に示すように、先ず、ねじ部材５３．．．の軸部５３ｂ．．．をねじ挿入部材５７の軸用孔５５ｃ．．．に挿入し、図示しない壁面のねじ用下孔に対してねじ込むことにより、ねじ挿入部材５７を壁面に取付ける。次に、ねじ挿入部材５７の側面方向から、マグネット部材５８を、ねじ挿入部材５７の係合溝５５ｅ，５５ｅに対して、マグネット部材５８の係合突起５８ｄ，５８ｄが嵌合するようにスライドさせると図１０（ｂ）のように、掲示物用マグネット器具５１が壁面に取付けられることになる。
【００６５】
なお、マグネット部材５８とねじ挿入部材５７との横方向のスライドを規制するには、部分的に接着剤を使用したり、両部材のスライド嵌合部の一部に図示しない任意の凹凸嵌合部を設け、強制嵌合にて取付ける等の汎用の技術を用いて実施することができる。
【００６６】
以上のように本実施例によれば、ねじ挿入部材が非磁性体の場合にマグネット部材に対して直接的な接着等で接合することなく両部材の係合によって接合ができるので、分解して再使用することができる。
【００６７】
図１１は、本発明における第６の実施例を表したものであり、第５の実施例とはねじ挿入部材とマグネット部材との嵌合位置及び形状が異なっている。また、ねじ部材の取付け角度も通常の垂直状態となるようになっている。
【００６８】
具体的には、図１１（ａ）の分解斜視図及び図１１（ｂ）の組立状態の断面図に表わされるように、ねじ挿入部材６７には、その上面６９及び下面６６の背面６５寄りに係合突起６５ｄ，６５ｄ及び係合溝６５ｅ，６５ｅが形成されており、マグネット部材６８には、同部に嵌合する係合溝６８ｅ、６８ｅ及び係合突起６８ｄ，６８ｄが上下の面６８ａ，６８ｂに形成され、背面６８ｃが掲示物に対する磁気吸着面となる。
【００６９】
また、ねじ挿入部材６７の背面６５側には溝部６５ａが形成されており、その底面６５ｂには長手方向に沿ってねじ部材６３の軸部６３ｂを挿入させるための複数の軸用穴６５ｃ．．．が設けられている。
【００７０】
そして、掲示物用マグネット器具６１を壁面に取付けるには、図１１（ａ）に示すように、先ず、ねじ部材６３．．．の軸部６３ｂ．．．をねじ挿入部材６７の軸用孔６５ｃ．．．に挿入し、図示しない壁面のねじ用下孔に対してねじ込むことにより、ねじ挿入部材６７を壁面に取付ける。次に、ねじ挿入部材６７の側面方向から、マグネット部材６８を、ねじ挿入部材６７の係合溝６５ｅ，６５ｅ及び係合突起６５ｄ，６５ｄに対して、マグネット部材６８の係合突起６８ｄ，６８ｄ及び係合溝６８ｅ，６８ｅが嵌合するようにスライドさせると図１１（ｂ）のように、掲示物用マグネット器具６７が壁面に取付けられることになる。
【００７１】
従って本実施例においても、ねじ挿入部材が非磁性体の場合にマグネット部材に対して直接的な接着等で接合することなく両部材の係合によって接合ができるので、分解して再使用することができる。
【００７２】
これまで説明した各鋲付きマグネット板は、幅広の帯状に形成されているが、本発明においては、これらを所定間隔設けて複数連結した鋲付きマグネット板として実施することができる。
【００７３】
図１２は、本発明における第７の実施例及び変形例を表わす。
この実施例は、掲示物用マグネット器具に磁気吸着で取付ける掲示物を、より確実に取付ける場合や、掲示物が大型であったり、形状が変形しているものに対して適合するように構成される。
【００７４】
これまで説明した各実施例共に実施することが可能であるが、代表的なものとして第１の実施例を使用した場合について、図１２（ａ）〜（ｄ）を使用して説明する。但し、これらはあくまでも一例であって、掲示物の形状により、変形して使用できることは言うまでもない。また、各実施例の形態にあわせて変形して使用することもできる。さらに、場合によっては各実施例をリンクさせて使用することも可能である。
【００７５】
図１２（ａ）は、本発明の第７の実施例を正面方向から見た斜視図を表わしたものであり、掲示物は方形のものとなっている。この場合の掲示物用マグネット器具７１ａは上下方向に所定の間隔を設けて、２本の掲示物用マグネット器具７１ａａ，７１ａａを配置し、それらの背面を同一部材、即ちマグネット製の部材で連結した構成となっている。なお、７３ｂはねじ部材の軸部である。
【００７６】
図１２（ｂ）は、第７の実施例における第１の変形例を表わし、掲示物がハート型のものに使用する。この場合は、上下の掲示物用マグネット器具７１ｂａ及び７１ｂｂの長さ及び側面形状が異なったものとなっている。
【００７７】
図１２（ｃ）は、第７の実施例における第２の変形例を表わしたものであり、掲示物が六角形のものに使用する形態となっている。この変形例においては、上下方向に三段、さらに中段部は中央部にも間隔を設けた４つの掲示物用マグネット器具７１ｃａ，７１ｃｂ，７１ｃｃ，７１ｃｄを連結した構成となっている。
【００７８】
図１２（ａ）〜（ｃ）に示した第１３の実施例及び変形例の各構成においては、掲示物の形状に合わせたマグネット面が形成されるので、掲示物を確実に磁気吸着させる利点がある。
【００７９】
なお、複数の掲示物用マグネット器具の連結は他の構造で実施することは、当然に可能である。図１２（ｄ）は、第７の実施例における第３の変形例を表わしたものであり、上下方向に三段に所定間隔を設けて配置した掲示物用マグネット器具７１ｄａ，７１ｄｂ，７１ｄｃを、テープ７６で連結したものである。この場合のテープ７６の接着面は、ねじ部材の軸部７３ｂが突出する面とした方が掲示物への影響が少ないので好ましい。
【００８０】
また、複数の掲示物用マグネット器具の連結は、これら以外にも鎖、紐等の汎用の部材を適宜に取付けて実施しても良い。
【００８１】
図１３は、第７の実施例の掲示物用マグネット器具に掲示物を取付け、さらに家庭用等の壁面に取付けることを表わす、取付け説明用斜視図を示す。
【００８２】
なお、基本的には、図３を用いて説明した第１の実施例の取付けと同様であり、ねじ部材７３．．．を、その軸部７３ｂ．．．が掲示物用マグネット器具７１ａの上方における掲示物用マグネット器具７１ａａ部分の器体部７２’の軸用孔７５ｃ．．．に挿入された状態で、壁面Ｗのねじ用下孔Ｗｃ．．．にねじ込む。さらに、下方における掲示物用マグネット器具７１ａａ部分も同様に行って、掲示物用マグネット器具７１ａを壁面Ｗに取付ける。
この状態で、掲示物用マグネット器具７１ａの背面に、掲示物Ｐの裏面に取付けられた強磁性体Ｓを磁気吸着にて取付けることにより、掲示物Ｐは壁面Ｗに取付けられる。
【００８３】
但し、第１の実施例の取付けとは、掲示物用マグネット器具７１ａにおける掲示物Ｐの取付け側の面が、掲示物Ｐと略同一形状に形成されており、掲示物Ｐの裏面に接着等で取付ける強磁性体板Ｓを輪郭に沿って多数使用している点が異なっている。なお、この強磁性体板Ｓは、前述した図３に示す小片Ｓａを複数使用しても良いし、一枚物として掲示物Ｐの全面に取付けても良い。さらに、強磁性体板自体が掲示物の場合や、絵画等の額縁等の枠体として使用されていても応用可能である。
【００８４】
図１４は、強磁性体板Ｓを介して掲示板Ｐを取付けた第７の実施例における掲示物用マグネット器具を、壁面Ｗに取付けた状態を表わす断面図である。
【００８５】
図１４（ａ）は、第１の実施例における掲示物用マグネット器具を連結した掲示物用マグネット器具７１を使用した場合を示し、図１４（ｂ）は、第１の実施例の変形例における掲示物用マグネット器具を連結した掲示物用マグネット器具７１’を使用した場合を示している。
【００８６】
第７の実施例によれば、掲示物を、より確実に取付けることができると共にねじ部材を希望する位置に確実に配置できる利点があり、特に、掲示物が大型であったり、形状が変形しているものに対して有効的に使用することができる。
【００８７】
なお、これまで説明した各実施例及び各応用例を用いて壁面に取付ける掲示物は、紙や樹脂シート等の非磁性体製で薄板形状のもので表わしていたが、これ以外の形態で実施することは当然に可能であり、以下に掲示物の代表的な応用例について説明する。
【００８８】
図１５に表わす掲示物Ｐｂは、木製等の適宜な材料で形成された額縁等の薄型の箱体であり、裏面に複数の強磁性体板Ｓ．．．を接着等により取付けて使用する。なお、この強磁性体板は、掲示物Ｐｂの裏面の形状や重量により、一枚物等の適宜な状態を選択して使用することができる。
【００８９】
図１６に表す掲示物Ｐｃは、表面にイラストや各種表示を施した鉄等の強磁性体製の板状に形成されている。この場合は、掲示物Ｐｃ自体が強磁性体であるので、これまでのように別体の強磁性体板を用いる必要はなく、コンパクトな形体となる利点がある。なお、強磁性体製の掲示物は板状に限らず、前述した図１５に表わす額縁状の掲示物Ｐｂ等に形成して実施することもできる。
【００９０】
なお、本発明は掲示物以外の箱状物品を取付ける技術としても応用が可能であり、図１７にその応用例を示す。
【００９１】
この応用例における箱状物品は、図１７（ａ）の取付け説明用斜視図に表わすように、家庭用の部屋等の隅に設置するコーナー収納棚Ｈであり、略直角に形成される二つの背面Ｈａ，Ｈｂの上方及び下方に扇形で形成された上面Ｈｃ、下面Ｈｄを取付け、正面側Ｈｅが開放される形体となっている。そして、背面Ｈａ，Ｈｂの上部及び下部には強磁性体板Ｓ１，Ｓ２，Ｓ３，Ｓ４が接着等により取付けられている。
【００９２】
また、部屋のコーナー部に略直角に形成された壁面Ｗｂには、上記のコーナー収納棚Ｈに取付けられた強磁性体板Ｓ１，Ｓ２，Ｓ３，Ｓ４が対応する位置に、これまで説明した本発明における掲示物用マグネット器具８１ａ，８１ｂ，８１ｃ，８１ｄが取付けられている。
【００９３】
この状態で図１７（ａ）の図中に矢印で示すように、コーナー収納棚Ｈの背面Ｈａに取付けられた強磁性体Ｓ１を、壁面Ｗｂに取付けられた掲示物用マグネット器具８１ａに合うように、コーナー収納棚Ｈを回転させて壁面Ｗｂに近接させると、図２９（ｂ）の一部断面斜視図のように磁気吸着し、同時に他の三つの強磁性体板Ｓ２，Ｓ３，Ｓ４と掲示物用マグネット器具８１ｂ，８１ｃ，８１ｄも磁気吸着することにより、コーナー収納棚Ｈを壁面Ｗｂにより取付けることができる。
【００９４】
なお、コーナー収納棚Ｈは、強磁性体板を背面全体に取付けたり、コーナー収納棚Ｈ自体を強磁性体製とすれば壁面Ｗｂへの取付け作業性を向上させることができる。
また、コーナー収納棚Ｈは、図に表わす一体形状のほか、木材を釘等で接合して形成したり、紙やプラスチック板に折れ目を付けた展開形状のものを組立てて接合して形成する等の適宜の手段で作製することができる。
【００９５】
なお、本発明における掲示物用マグネット器具はこれまで説明した各実施例、変形例、応用例に限らず、各種変更して実施することができる。
【００９６】
例えば、ねじ部材の軸部を掲示物用マグネット器具の正面の垂直線に対し下向きに傾けて突出させる場合には、第１の実施例における変形例（図２参照）に示すように、ねじ部材の頭部の下面が接触する面を所定角度傾けて設けて設定することで実施できる。
【００９７】
また、第１の実施例及び第２の実施例における器体は一部材で形成されているが、背面部分をマグネット部材で形成して接着や適宜の連結構造で接合して構成したり、各実施例における器体自体をねじ挿入部材とし、その背面にマグネット部材を接着等で取付ける構成で実施しても良い。
【００９８】
さらに、掲示物用マグネット器具の幅及びその端部の形状は、掲示物に合わせて作製しても良いし、予め可能な範囲で長尺に作製しておき、掲示物の幅や外形形状に合わせて裁断して使用するようにしても良い。
【００９９】
【発明の効果】
本発明は、断面が略矩形で帯状に伸延させた形体で背面がマグネット製でなる器体と、該器体に対しその正面から軸部が突出し、頭部が該器体の背面から突出しない状態に保持される頭付きのねじ部材とで構成される掲示物用マグネット器具としたので、比較的大型の写真やポスター等の掲示物を、その裏面に鉄板等の強磁性体板を取付けた状態とすれば、簡単に磁気吸着で取付けることができ、さらに、強度の弱い壁面に対してもねじ部材により確実に取付けることができる。
また、構造が簡単なため、掲示物用マグネット器具の組立て作業や、掲示物用マグネット器具の家庭用の壁面等への取付け作業も簡単に行うことができる。
【図面の簡単な説明】
【図１】本発明における第１の実施例を表わしたものであり、（ａ）は分解斜視図、（ｂ）は、（ａ）におけるＡ−Ａ拡大断面図を示す。
【図２】本発明における第１の実施例の変形例を表わしたものであり、（ａ）は分解斜視図、（ｂ）は、（ａ）におけるＢ−Ｂ拡大断面図を示す。
【図３】本発明における第１の実施例による掲示物用マグネット器具の取付け説明用の斜視図を示す。
【図４】本発明における第１の実施例による掲示物用マグネット器具板を壁面に取付けた状態の断面図を示す。
【図５】本発明における第１の実施例による掲示物用マグネット器具を、曲面を有する壁面に取付けた状態の斜視図を示す。
【図６】本発明における第２の実施例の分解斜視図を示す。
【図７】本発明における第２の実施例の嵌合状態を表わしたものであり、（ａ）は壁面への取付け状態を示す拡大断面図、（ｂ）は、器体にねじ部材を挿入した正面図、（ｃ）は器体にねじ部材を挿入した底面図を示す。
【図８】本発明における第３の実施例を表わしたものであり、（ａ）は分解斜視図、（ｂ）は組立て状態の拡大断面図を示す。
【図９】本発明における第４の実施例を表わしたものであり、（ａ）は分解斜視図、（ｂ）は組立て状態の拡大断面図を示す。
【図１０】本発明における第５の実施例を表わしたものであり、（ａ）は分解斜視図、（ｂ）は組立て状態の拡大断面図を示す。
【図１１】本発明における第６の実施例を表わしたものであり、（ａ）は分解斜視図、（ｂ）は組立て状態の拡大断面図を示す。
【図１２】本発明における第７の実施例及び変形例を表わしたものであり、（ａ）は実施例の斜視図、（ｂ）は第１の変形例の斜視図、（ｃ）は第２の変形例の斜視図、（ｄ）は第３の変形例の斜視図を示す。
【図１３】本発明における第７の実施例による掲示物用マグネット器具の取付け説明用斜視図を示す。
【図１４】本発明における第７の実施例による掲示物用マグネット器具の壁面への取付け状態を表わす断面図であり、（ａ）は第１の実施例の掲示物用マグネット器具を連結したもの、（ｂ）は第１の実施例における変形例の掲示物用マグネット器具を連結したものを示す。
【図１５】本発明における掲示物用マグネット器具に磁気吸着にて取付ける掲示物の応用例を表わす斜視図である。
【図１６】本発明における掲示物用マグネット器具に磁気吸着にて取付ける掲示物の他の応用例を表わす斜視図である。
【図１７】本発明における掲示物用マグネット器具に磁気吸着にて取付けるコーナー収納棚の取付け説明図であり、（ａ）は取付前の斜視図、（ｂ）は取付後の一部断面斜視図を示す。
【符号の説明】
Ｐ、Ｐａ、Ｐｃ、Ｐｄ  掲示物
Ｈ  コーナー収納棚
Ｈａ、Ｈｂ  背面
Ｈｃ  上面
Ｈｄ  下面
Ｈｅ  正面側
Ｓ、Ｓ１、Ｓ２、Ｓ３、Ｓ４  強磁性体板
Ｓａ  小片
Ｗ、Ｗａ、Ｗｂ  壁面
Ｗｃ  ねじ用下孔
Ｍ  傾斜角度
Ｎ  隙間
Ｙ１  嵌合軸部の長さ
Ｙ２  嵌合軸部の径
Ｖ１  保持片の厚さ
Ｖ２  取付け溝部の幅
１、１’、１ａ、２１、３１、４１、５１、６１、７１、７１’、７１ａ、７１ａａ、７１ｂ、７１ｂａ、７１ｂｂ、７１ｃ、７１ｃａ、７１ｃｂ、７１ｃｃ、７１ｃｄ、７１ｄ、７１ｄａ、７１ｄｂ、７１ｄｃ、８１ａ、８１ｂ、８１ｃ、８１ｄ  掲示物用マグネット器具
２、２’、２２、３２、４２、５２、６２  器体
３、３’、２３、３３、３３’、４３、５３、６３、７３、７３’  ねじ部材
３ａ、３ａ’、２３ａ、３３ａ、４３ａ、５３ａ、６３ａ  頭部
３ｂ、３ｂ’、２３ｂ、３３ｂ、４３ｂ、５３ｂ、６３ｂ、７３ｂ  軸部
３ｃ、３ｃ’、２３ｃ  先端部
３ｗ、３ｗ’、３３ｗ、４３ｗ、５３ｗ、６３ｗ  ワッシャ
４、４’、２４、３４、４４、５４、６４  正面
５、５’、２５、３５、４５、５５、６５  背面
５ａ、５ａ’、３５ａ、４５ａ、５５ａ、６５ａ  溝部
５ｂ、５ｂ’、３５ｂ、４５ｂ、５５ｂ、６５ｂ  底面
５ｃ、５ｃ’、３５ｃ、４５ｃ、５５ｃ、６５ｃ、７５ｃ  軸用孔
６、６’、２６  、３６、４６、５６  下面
２３ｄ  嵌合軸部
２４ａ  保持片
２４ｂ  取付け用溝部
２４ｃ  リブ
２６、５６、６６  下面
２６ａ  溝部
３７、４７、５７、６７  ねじ挿入部材
３８、４８、５８、６８  マグネット部材
５５ｄ、５８ｄ、６５ｄ、６８ｄ  係合突起
５５ｅ、６５ｅ、６８ｅ  係合溝
５８ａ、６８ａ  上面
５８ｂ、６８ｂ  下面
５８ｃ、６８ｃ  背面
５８ｆ  突出部
５９、６９  上面
７２’  器体部
７６  テープ


【手続補正２】
【補正対象書類名】図面
【補正対象項目名】図１３
【補正方法】変更
【補正の内容】
【図１３】
2004361547.tif 000020